(57)【要約】 【課題】  ポケットティッシュの補充が容易で、しかもポケットティッシュ内のティッシュペーパーを確実に１組ごとに取出可能なポケットティッシュケースを提供する。【解決手段】  少なくともポケットティッシュＰの外袋Ｐ１の切込部Ｐ１ａが位置する前面Ｐ２を覆うケース本体２と、ケース本体２の切込部Ｐ１ａと対向する位置に形成され、ポケットティッシュＰ内のティッシュペーパーＰ４を取出すための取出口３と、ケース本体２に固定され、ポケットティッシュＰの前面Ｐ２側をケース本体２に押付ける押圧バンド４と、を備え、ケース本体２の少なくとも一端部側は、ケース本体２に対するポケットティッシュＰの出し入れが可能なように開放可能となっている。【選択図】  図１
2012041066.tif 000002
【特許請求の範囲】
【請求項１】
少なくともポケットティッシュの外袋の切込部が位置する前面を覆うケース本体と、
前記ケース本体の前記切込部と対向する位置に形成され、前記ポケットティッシュ内のティッシュペーパーを取出すための取出口と、
前記ケース本体に固定され、前記ポケットティッシュの前面側を前記ケース本体に押付ける押圧バンドと、を備え、
前記ケース本体の少なくとも一端部側は、前記ケース本体に対する前記ポケットティッシュの出し入れが可能なように開放可能となっている、
ことを特徴とするポケットティッシュケース。
【請求項２】
前記ケース本体には、前記取出口を開閉可能とする蓋部が設けられていることを特徴とする請求項１に記載のポケットティッシュケース。
【請求項３】
前記ケース本体は、前記ポケットティッシュの外袋の切込部が位置する前面を覆うケース本体前面部と、前記ポケットティッシュの前記前面の背面側に位置する前記外袋の後面を覆うためのケース本体後面部とを有しており、前記ケース本体前面部と前記ケース本体後面部は一体成形されていることを特徴とする請求項１または２に記載のポケットティッシュケース。
【発明の詳細な説明】
【技術分野】
【０００１】
この発明は、ポケットティッシュを収納するためのポケットティッシュケースに関する。
【背景技術】
【０００２】
ポケットティッシュを収納するためのケースとして、図１１に示すように、ポケットティッシュＰの外袋を覆うポケットティッシュケース１００が広く知られている。このポケットティッシュケース１００は、前面１０１の中央部に長手方向全長に延びる取出口１０２を備えている。このポケットティッシュケース１００を携帯する人は、ティッシュペーパーを使用する際は、この取出口１０２を介してポケットティッシュＰ内のティッシュペーパーを１組ごとに取り出す。そして、ポケットティッシュＰ内のティッシュペーパーの残量が少ない場合やティッシュペーパーがなくなった場合には、新たにポケットティッシュケース１００内にポケットティッシュＰを補充するようにしている。
【０００３】
また、ティッシュペーパーの詰め替えが簡単に出来て、何度でも再利用可能出来るティッシュペーパーケースに関する技術が知られている（例えば、特許文献１参照。）。このティッシュペーパーケースは、ケースにファスナーとマチを設け、ケースの片面に、ティッシュペーパーを一枚ずつ取り出すための取り出し口を設けたものである。
【先行技術文献】
【特許文献】
【０００４】
【特許文献１】特開平９−０４００３９号公報
【発明の概要】
【発明が解決しようとする課題】
【０００５】
しかしながら、図１１に示すようなポケットティッシュケース１００の場合は、まず、取出口１０２から残量の減った使用中のポケットティッシュＰを取り出し、新しいポケットティッシュＰが使用中のポケットティッシュＰの背面側に位置するようにして、取出口１０２から２つのポケットティッシュを中に押し込む必要がある。したがって、図１１のような構造のポケットティッシュケース１００では、ポケットティッシュＰの補充が煩雑になり、手間を要するという問題がある。また、取出口１０２が前面１０１の長手方向全長に亘って形成され、取出口１０２が大きいので、ポケットティッシュＰ内のティッシュペーパーの残量が少ない場合は、ポケットティッシュＰが取出口１０２から出やすい状態となる。このため、ティッシュペーパーの取出し時に、複数組のティッシュペーパーがまとまって取出されてしまうという問題がある。
【０００６】
そこで、この発明は、ポケットティッシュＰの補充が容易で、しかもポケットティッシュＰ内のティッシュペーパーを確実に１組ごとに取出可能なポケットティッシュケースを提供することを目的としている。
【課題を解決するための手段】
【０００７】
前記の課題を解決するために、請求項１に記載の発明は、少なくともポケットティッシュの外袋の切込部が位置する前面を覆うケース本体と、前記ケース本体の前記切込部と対向する位置に形成され、前記ポケットティッシュ内のティッシュペーパーを取出すための取出口と、前記ケース本体に固定され、前記ポケットティッシュの前面側を前記ケース本体に押付ける押圧バンドと、を備え、前記ケース本体の少なくとも一端部側は、前記ケース本体に対する前記ポケットティッシュの出し入れが可能なように開放可能となっている、ことを特徴とするポケットティッシュケースである。
【０００８】
この発明によれば、ケース本体の一端部側が開放された状態では、ポケットティッシュの補充が行われる。また、押圧バンドによってポケットティッシュがケース本体に押圧された状態では、取出口を介してポケットティッシュ内のティッシュペーパーが取出される。
【０００９】
請求項２に記載の発明は、請求項１に記載のポケットティッシュケースにおいて、前記ケース本体には、前記取出口を開閉可能とする蓋部が設けられていることを特徴としている。
【００１０】
請求項３に記載の発明は、請求項１または２に記載のポケットティッシュケースにおいて、前記ケース本体は、前記ポケットティッシュの外袋の切込部が位置する前面を覆うケース本体前面部と、前記ポケットティッシュの前記前面の背面側に位置する前記外袋の後面を覆うためのケース本体後面部とを有しており、前記ケース本体前面部と前記ケース本体後面部は一体成形されていることを特徴としている。
【発明の効果】
【００１１】
請求項１に記載の発明によれば、押圧バンドによってポケットティッシュの外袋の前面側がケース本体に押付けられているので、ポケットティッシュが常時ケース本体に密着した状態となる。そのため、ティッシュペーパーの残量が少なくなった場合でも、取出口から複数組のティッシュペーパーがまとまって出にくくなり、ティッシュペーパーを確実に１組ごと取出すことができる。
【００１２】
また、ケース本体の一端部側を開放させた状態では、ポケットティッシュがケース本体に対して出し入れ自在となるので、ポケットティッシュを補充する際には、開放部分からケース本体と押圧バンドとの間にポケットティッシュを入れるだけでよく、ポケットティッシュの補充が容易となる。
【００１３】
さらに、ポケットティッシュの補充時には、例えば使用中のポケットティッシュをケース本体側に位置させるとともに、補充する（新しい）ポケットティッシュを押圧バンド側に位置させ、この状態で各ポケットティッシュを押圧バンドでケース本体側に押付けることにより、使用中のポケットティッシュのティッシュペーパーがなくなった後に、新しいポケットティッシュの使用を開始することができ、衛生的である。
【００１４】
請求項２に記載の発明によれば、ケース本体に取出口を開閉可能とする蓋部を設けるようにしているので、ポケットティッシュは、ティッシュペーパーを取出す以外は外部に露出せず、ポケットティッシュ内への異物の混入による汚損を防止することができる。
【００１５】
請求項３に記載の発明によれば、ポケットティッシュの外袋の前面と後面の双方をケース本体で覆うことができるので、例えばポケットティッシュの外袋のデザインが悪い場合であっても、ポケットティッシュの外袋の前面と後面は外部から見えなくなり、ポケットティッシュケースを使用する際の美観を高めることができる。また、ポケットティッシュをケース本体後面部を介して押圧バンドでケース本体前面部側に押し付けることができるので、押圧バンドの幅をポケットティッシュの幅と同じにしなくとも、ポケットティッシュの前面全体をケース本体前面部側に押付けることが可能となる。
【図面の簡単な説明】
【００１６】
【図１】この発明の実施の形態１に係るポケットティッシュケースの斜視図である。
【図２】図１のポケットティッシュケースにおけるケース本体の一端部側を開放した状態を示す正面図である。
【図３】図１のポケットティッシュケースの正面図である。
【図４】図１のポケットティッシュケースの背面図である。
【図５】図１のポケットティッシュケースの側面図である。
【図６】この発明の実施の形態２に係るポケットティッシュケースの正面図である。
【図７】この発明の実施の形態３に係るポケットティッシュケースの正面図である。
【図８】この発明の実施の形態４に係るポケットティッシュケースの正面図である。
【図９】この発明の実施の形態５に係るポケットティッシュケースの正面図である。
【図１０】図１ないし図９の取出口の変形例を示すポケットティッシュケースの正面図である。
【図１１】従来のポケットティッシュケースの一例を示す正面図である。
【発明を実施するための形態】
【００１７】
つぎに、この発明の実施の形態について図面を用いて詳しく説明する。
【００１８】
（実施の形態１）
図１ないし図５は、この発明の実施の形態１を示している。図１に示すように、ポケットティッシュケース１は、主として、ケース本体２と取出口３と押圧バンド４とを備えている。
【００１９】
ケース本体２は、ポケットティッシュＰの外袋を覆うもので、図２に示すように、ケース本体前面部２１とケース本体後面部２２とケース本体蓋面部２３とを有している。ケース本体２は、長方形状の皮革、合成皮革やフェルトなどの厚手の不織布などから構成されており、ケース本体前面部２１とケース本体後面部２２とケース本体蓋面部２３とを有している。このケース本体２は、図３ないし図５に示すように、ケース本体前面部２１とケース本体後面部２２との間に折曲部２ａが形成されており、ケース本体後面部２２とケース本体蓋面部２３との間に折曲部２ｂが形成されている。ケース本体２は、折曲部２ａ、２ｂの屈曲によって、ケース本体前面部２１とケース本体後面部２２とケース本体蓋面部２３とが重なるようになっている。
【００２０】
図１、図５に示すように、ケース本体２は折り重ねられた状態では、ケース本体前面部２１とケース本体後面部２２との間に、ポケットティッシュＰが位置するようになっている。このケース本体前面部２１は、少なくともポケットティッシュＰの外袋の切込部Ｐ１ａが位置する前面Ｐ２を覆うようになっている。ここで、切込部Ｐ１ａとは、ポケットティッシュＰの外袋Ｐ１に形成されたミシン目であり、ミシン目を切り裂くことにより、ポケットティッシュＰ内のティッシュペーパーＰ４を切込部Ｐ１ａを介して取出すことが可能となる。
【００２１】
ケース本体後面部２２は、ポケットティッシュＰにおける外袋Ｐ１の前面Ｐ２の背面側に位置する外袋Ｐ１の後面Ｐ３を覆うようになっている。さらに、ケース本体蓋面部２３は、図１、図５に示すように、折曲部２ｂによってケース本体後面部２２に対して屈曲自在であり、ケース本体蓋面部２３に配設されたスナップボタンやマグネットなどの係止具２４によって、ケース本体前面部２１に係止可能となっている。
【００２２】
ケース本体２のケース本体前面部２１の略中央部には、図３に示すように、取出口３が形成されている。取出口３は、図１に示すように、ケース本体前面部２１のポケットティッシュＰの外袋の切込部Ｐ１ａと対向する位置に形成され、ポケットティッシュＰ内のティッシュペーパーＰ４を取出すためのもので、ケース本体２のケース本体前面部２１を略半楕円状に切り込んで形成されている。この取出口３の長さは、ポケットティッシュＰの切込部Ｐ１ａの長さより小に設定されている。また、取出口３には蓋部３１が設けられ、取出口３が開閉可能となっている。蓋部３１は、ケース本体前面部２１の一部を切り起して形成したものであり、付け根を支点として開閉方向に揺動可能となっている。
【００２３】
押圧バンド４は、図１に示すように、長手方向の端部がケース本体前面部２１の両側端部に固定され、ポケットティッシュＰの前面Ｐ２側をケース本体前面部２１（取出口３側）に押付けるもので、ゴムなどの伸縮性を備えた帯状材で構成されている。この押圧バンド４は、ケース本体前面部２１とケース本体後面部２２との間にポケットティッシュＰを収納するためのスペースを確保するように長さが設定されている。また、押圧バンド４は、図４、図５に示すように、ポケットティッシュＰを取出口３の背面側から押付けるように、ケース本体前面部２１の両側端部の固定位置が設定されている。
【００２４】
次に、このポケットティッシュケース１の使用方法、作用について説明する。
【００２５】
まず、ポケットティッシュＰを収納する場合は、図３に示すように、スナップボタンなどの係止具２４によってケース本体前面部２１と係止状態にあるケース本体蓋面部２３の係止を解除し、ケース本体２を図１の状態にする。この状態では、ケース本体の一端部側（上側）が開放された状態となり、開放部分からケース本体前面部２１とケース本体後面部２２との間にポケットティッシュＰを挿入する。そして、図３に示すように、係止具２４によってケース本体蓋面部２３とケース本体前面部２１とを係止する。
【００２６】
つぎに、ポケットティッシュＰを使用する場合は、蓋部３１を開き、取出口３からティッシュペーパーＰ４を1組ずつ取出して使用する。このとき、図５に示すように、押圧バンド４によってポケットティッシュＰの外袋Ｐ１の前面Ｐ２側がケース本体２のケース本体前面部２１に押付けられているので、ポケットティッシュＰは常時、ケース本体前面部２１と密着した状態となる。
【００２７】
そして、ポケットティッシュＰの残量が少なくなり、ポケットティッシュＰを補充する場合は、図１に示すように、係止具２４を解除してケース本体蓋面部２３を開き、押圧バンド４を手で引っ張るなどしてケース本体前面部２１とケース本体後面部２２との間を広げ、すでに収納されているポケットティッシュＰとケース本体後面部２２との間（ポケットティッシュＰの外袋Ｐ１の後面Ｐ３側）に新しいポケットティッシュＰを入れる。
【００２８】
このように、ケース本体２のケース本体蓋面部２３を開いた状態では、ケース本体２にポケットティッシュＰの補充のための開放部が形成されることになり、開放部分を介してポケットティッシュＰの出し入れが可能となる。また、ポケットティッシュＰをケース本体２に収納した状態では、押圧バンド４によってポケットティッシュＰは常にケース本体前面部２１に押付けられ、ポケットティッシュＰはケース本体前面部２１と密着した状態に保たれる。
【００２９】
以上のように、この実施の形態１に係る発明によれば、押圧バンド４によってポケットティッシュＰの外袋Ｐ１の前面Ｐ２側がケース本体２に常時押付けられているので、ポケットティッシュＰがケース本体２のケース本体前面部２１に密着した状態となる。そのため、ティッシュペーパーＰ４の残量が少なくなった場合でも、取出口３から複数組のティッシュペーパーＰ４がまとまって出にくくなり、ティッシュペーパーＰ４を確実に１組ずつ取出すことができる。
【００３０】
また、係止具２４を解除してケース本体蓋面部２３を開き、ケース本体２の一端部側を開放させた状態では、ポケットティッシュＰがケース本体２に対して出入自在となるので、ポケットティッシュＰを補充する際には、開放部分からケース本体２のケース本体前面部２１と押圧バンド４によって押圧されるケース本体後面部２２との間にポケットティッシュＰを入れるだけでよく、ポケットティッシュＰの補充が容易となる。
【００３１】
さらに、ポケットティッシュＰの補充時には、例えば使用中のポケットティッシュＰをケース本体２のケース本体前面部２１側に位置させるとともに、補充する（新しい）ポケットティッシュＰを押圧バンド４によって押圧されるケース本体後面部２２側に位置させる。そして、この状態で各ポケットティッシュＰをケース本体後面部２２を介して押圧バンド４でケース本体前面部２１側に押付けることにより、使用中のポケットティッシュＰのティッシュペーパーＰ４がなくなった後に、新しいポケットティッシュＰの使用を開始することができるので、衛生的である。また、ケース本体２に取出口３を開閉可能とする蓋部３１を設けるようにしているので、ポケットティッシュＰは、ティッシュペーパーＰ４を取出す以外は外部に露出せず、ポケットティッシュＰ内への異物の混入や汚損を防止できる。
【００３２】
実施の形態１においては、ポケットティッシュＰにおける外袋Ｐ１の前面Ｐ２と後面Ｐ３の双方をケース本体２で覆うことができるので、ポケットティッシュＰの外袋Ｐ１のデザインが悪い場合であっても、ポケットティッシュＰの外袋Ｐ１の前面Ｐ２と後面Ｐ３は外部から見えなくなり、ポケットティッシュケース１を使用する際の美観を高めることができる。また、ポケットティッシュＰをケース本体後面部２２を介して押圧バンド４でケース本体前面部２１側に押し付けることができるので、押圧バンド４の幅をポケットティッシュＰの幅と同じにしなくとも、ポケットティッシュＰの外袋Ｐ１の前面Ｐ２全体をケース本体前面部２１側に押付けることが可能となる。
【００３３】
さらに、ポケットティッシュＰを収納するケース本体前面部２１とケース本体後面部２２とは、合成皮革などで構成されているので、外力からポケットティッシュＰを保護することができ、ポケットティッシュＰの型崩れを防止できる。
【００３４】
（実施の形態２）
図６は、この発明の実施の形態２を示している。実施の形態２が実施の形態１と異なるところは、ケース本体蓋面部２５と、取出口５の形状であり、その他の部分は実施の形態１に準じるので、準じる部分に実施の形態１と同一の符号を付すことにより、準じる部分の説明を省略する。後述する実施の形態３ないし実施の形態５についても同様である。
【００３５】
図６に示すように、ケース本体蓋面部２５はケース本体前面部２１と略同等の面積を有し、ケース本体２を折り曲げた状態で、ケース本体蓋面部２５がケース本体前面部２１を全体的に覆うようになっている。また、取出口５は、ケース本体２のケース本体前面部２１を略楕円状に切り抜いて形成されている。また、この実施の形態では、ケース本体蓋面部２５が取出口５の蓋部となっている。このポケットティッシュケース１では、ケース本体蓋面部２５を開くことで、取出口５からティッシュペーパーＰ４を取り出すことができる。
【００３６】
この実施の形態２においては、ケース本体蓋面部２５を開閉することで、取出口５を開閉できるので、実施の形態１よりもさらにティッシュペーパーＰ４の取出しが容易となる。また、取出口５の蓋部がケース本体蓋面部２５であって、ケース本体前面部２１に係止具２４によって係止されるので、取出口５が外部に露出することを確実に防止し、ポケットティッシュＰを衛生的に携帯できる。
【００３７】
（実施の形態３）
図７は、この発明の実施の形態３を示している。この実施の形態３が実施の形態１と異なるところは、ケース本体蓋面部２６がベルト状に形成されている点である。このケース本体蓋面部２６は、ケース本体後面部２２の上端側の略中央部に配設され、ケース本体前面部２１の長手方向の略中央部と係止可能となっている。
【００３８】
この実施の形態３においては、ケース本体蓋面部２６がベルト状のため、ポケットティッシュケース１を小型化・軽量化することができる。つまり、より携帯性に優れたものとなる。
【００３９】
（実施の形態４）
図８は、この発明の実施の形態４を示している。実施の形態４が実施の形態１と異なるところは、ケース本体前面部２７、押圧バンド６の構成である。押圧ハンド６は、ケース本体前面部２７と同程度の幅、大きさとなっている。この押圧バンド６と、ケース本体前面部２７の底面部、両側面部とは縫合、接着されて一体となり、上側に開口部を有する袋状となっている。つまり、ケース本体前面部２７と押圧バンド６とによって形成される袋状部分に、ポケットティッシュＰを収納するようになっている。
【００４０】
この実施の形態４においては、ケース本体２はケース本体前面部２７のみから構成されているので、ポケットティッシュケース１の構成を簡素化することができ、ポケットティッシュケース１をより小型化・軽量化することができる。
【００４１】
（実施の形態５）
図９は、この発明の実施の形態５を示している。実施の形態５が実施の形態１と異なるところは、ケース本体２長手方向の一方の側端部（図中右端部）に折曲部２ａが形成され、他方の側端部（図中左端部）にケース本体蓋面部２３を備える構成である。また、押圧バンド４は、ケース本体前面部２１の長辺側（図中上下端側）に配設されている。この様な構成のポケットティッシュケース１は、ケース本体前面部２１の図中左端側が開放された状態となり、開放部分からポケットティッシュＰを出し入れ可能である。
【００４２】
以上、この発明の実施の形態について説明したが、具体的な構成は、これらの実施の形態に限られるものではなく、この発明の要旨を逸脱しない範囲の設計の変更等があっても、この発明に含まれる。例えば、取出口３は略半楕円形ではなく、図１０に示すように、四角形の１辺を残して切り抜いた形状でもよい。このような取出口は、直線で形成されるため加工容易である。また、押圧バンド４は、ケース本体２を折り重ねた状態でケース本体後面部２２の外周側に位置するようにして説明したが、ポケットティッシュＰの残量に応じてケース本体後面部２２の内周側に位置させて、直接ポケットティッシュＰの外袋Ｐ１を押圧するようにしてもよい。
【符号の説明】
【００４３】
１              ポケットティッシュケース
２              ケース本体
３              取出口
４              押圧バンド
２１            ケース本体前面部
２２            ケース本体後面部
２３            ケース本体蓋面部
３１            蓋部
Ｐ              ポケットティッシュ
Ｐ１            外袋
Ｐ１ａ          切込部
Ｐ２            ポケットティッシュの外袋の前面
Ｐ３            ポケットティッシュの外袋の後面
Ｐ４            ティッシュペーパー
【図１】
2012041066.tif 000003
【図２】
2012041066.tif 000004
【図３】
2012041066.tif 000005
【図４】
2012041066.tif 000006
【図５】
2012041066.tif 000007
【図６】
2012041066.tif 000008
【図７】
2012041066.tif 000009
【図８】
2012041066.tif 000010
【図９】
2012041066.tif 000011
【図１０】
2012041066.tif 000012
【図１１】
2012041066.tif 000013